(57)【特許請求の範囲】
【請求項１】
遊技盤に演出装置が配設された遊技機において、
前記演出装置は、
駆動手段が配設される本体部材と、
前記本体部材に配設されて該本体部材との間に収容空間を画成すると共に、該収容空間を閉鎖する閉鎖位置、および当該収容空間を開放する開放位置の間を移動可能な開閉部材と、
前記本体部材に配設され、前記収容空間内に収容された収容位置、および前記開閉部材の開放位置への移動により開口した開放口を介して収容空間の外方に突出する進出位置の間を移動可能な演出部材と、
前記駆動手段の駆動に伴って前記開閉部材を閉鎖位置および開放位置の間で移動させると共に、該開閉部材の移動に連動して前記演出部材を収容位置および進出位置の間で移動させる駆動伝達手段とを備え、
前記駆動伝達手段は、
前記駆動手段の駆動により第１位置および第２位置の間を往復移動されると共に、第１作動軸および第２作動軸が形成された第１作動体と、
前記第１作動体の第１作動軸および開閉部材に接続され、前記閉鎖位置に対応した開閉部材閉鎖位置と開放位置に対応した開閉部材開放位置との間を移動可能な第２作動体と、
前記第１作動体の第２作動軸および演出部材に接続され、前記収容位置に対応した演出部材収容位置と進出位置に対応した演出部材進出位置との間を移動可能な第３作動体とを備え、
前記第２作動体は、
前記開閉部材閉鎖位置および開閉部材開放位置において前記第１位置と当該第１位置から第２位置に至る間の切替位置との間を移動する前記第１作動軸の往復移動軌跡に端縁が対向し、当該第１位置および切替位置の間を移動する第１作動軸に押圧される第１の孔部と、
前記第１の孔部に接続すると共に、前記開閉部材開放位置において前記切替位置と第２位置との間を移動する前記第１作動軸の移動軌跡に沿って延在する第２の孔部とを有し、
前記第１位置から切替位置へ移動する前記第１作動軸が第１の孔部の端縁を押圧することで、前記第２作動体が開閉部材閉鎖位置から開閉部材開放位置へ移動され、当該開閉部材開放位置において切替位置および第２位置の間を第２の孔部に沿って移動する第１作動軸が第２作動体を開閉部材開放位置に静止保持すると共に、切替位置から第１位置へ移動する第１作動軸が第１の孔部の端縁を押圧することで、第２作動体が開閉部材開放位置から開閉部材閉鎖位置へ移動されるよう構成され、
前記第３作動体は、
前記演出部材収容位置において前記第２作動軸の移動軌跡に沿って延在すると共に、前記演出部材進出位置において第２作動軸の移動軌跡に延在し、前記第２位置から切替位置に移動する際に第２作動軸が当接して押圧される第１押圧壁と、
前記演出部材収容位置において前記第２作動軸の移動軌跡に延在し、前記第１位置から切替位置に移動した際に第２作動軸が当接し、当該切替位置から第２位置に移動する第２作動軸に押圧される第２押圧壁と、
前記演出部材収容位置において前記第１作動体の第１位置から切替位置へ向けての移動を許容する状態で前記第２作動軸が係合する第１係合部と、
前記演出部材進出位置において前記第１作動体の第２位置から切替位置へ向けての揺動を許容する状態で前記第２作動軸が係合する第２係合部とを備え、
前記第１位置から切替位置の間を前記第２作動軸が第１押圧壁に沿って移動することで、前記第３作動体が演出部材収容位置で静止保持され、切替位置から第２位置への移動に伴って前記第２作動軸が第２押圧壁を押圧することで、前記第３作動体が演出部材収容位置から演出部材進出位置へ移動されると共に、第２位置から切替位置への移動に伴って前記第２作動軸が第１押圧壁を押圧することで、前記第３作動体が演出部材進出位置から演出部材収容位置へ移動されるよう構成された
ことを特徴とする遊技機。
【請求項２】
前記本体部材には、前記演出装置の進退方向に延在する第１ガイド軸が前記収容空間内に突出するよう設けられると共に、該演出装置の進退方向に貫通する貫通孔が形成された第１の支持部が収容空間内に突出するよう設けられ、
前記演出部材には、前記第１ガイド軸と対応する位置に、該第１ガイド軸が摺動可能に挿入される第２の支持部が設けられると共に、前記第１の支持部と対応する位置に、前記貫通孔に挿入される第２ガイド軸が設けられ、
前記演出部材が収容位置に保持された状態で、前記第２ガイド軸が前記第１の支持部の貫通孔を貫通して前記本体部材から突出すると共に、前記本体部材が設けられる設置部には、前記第１の支持部と対応する位置に、前記第２ガイド軸が挿入される退避部が形成され、
前記演出部材が収容位置および進出位置の間を移動する際に、前記第１の支持部の前記貫通孔の全長に亘って第２ガイド軸が常に挿通されるよう構成された請求項１記載の遊技機。
【請求項３】
前記第１ガイド軸は前方へ突出すると共に、前記第１の支持部の貫通孔は、第１ガイド軸の上方に前後方向に貫通するよう設けられて、当該第１ガイド軸および第１の支持部に挿入される第２ガイド軸を、下辺が水平な正三角形の頂点に位置するよう配置した請求項２記載の遊技機。
【発明の詳細な説明】
【技術分野】
【０００１】
本発明は、遊技機に関し、更に詳細には、演出部材を収容する収容空間を開閉する開閉部材を備えた演出装置が設けられた遊技機に関するものである。
【背景技術】
【０００２】
代表的な遊技機であるパチンコ機は、遊技盤の盤面に画成した遊技領域の略中央位置に枠状の装飾部材(所謂センター役物)が配設されており、この装飾部材の開口部を介して複数の図柄を変動表示して図柄変動ゲームを行なう液晶式やドラム式等の図柄表示装置を後方から臨ませると共に、該遊技盤における装飾部材の下方位置に、パチンコ球(遊技球)の入賞により図柄表示装置での変動を開始させる始動入賞装置や大当り時等に開放する特別入賞装置を配設するよう構成されたものが多数提案されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、前記図柄表示装置で図柄変動ゲームに伴うリーチ演出等の各種の遊技演出がなされ、該図柄表示装置に図柄が所定の組み合わせで停止することにより所謂大当りが発生し、遊技盤に設けられた特別入賞装置が開放して多数の賞球を獲得し得るよう構成される。
【０００３】
また、前述したパチンコ機には、演出内容に合わせた装飾等がなされた演出部材を配設すると共に、該演出部材の前側に開閉部材を配設して、常には開閉部材により演出部材を被覆して遊技者から視認不能にし、適宜のタイミングで開閉部材を開放することで、演出部材を露出して演出を行なうよう構成された演出装置を備えたものが提案されている(例えば、特許文献１参照)。この特許文献１では、固定配置した発光体からの光を反射する光反射部材を回転自在に配設して、該光反射部材の回転に伴って発光体からの光の反射方向を変化させるよう構成された回転灯型の演出部材の前側に、相互に近接・離間移動可能な一対の開閉部材を配設して、開閉部材を開放した場合に限り、回転灯型の演出部材を露出することで、演出の多様化を図ると共に演出部材の作動時の意外性を高めて、より強いインパクトを遊技者に与えることで遊技の興趣を高めるようにしている。
【先行技術文献】
【特許文献】
【０００４】
【特許文献１】特開２００６−３１１９０１号公報
【発明の概要】
【発明が解決しようとする課題】
【０００５】
ところで、前述のように開閉部材を開放して内側に配置した演出部材を露出させる演出装置を備えることで、該演出装置の作動時に演出の意外性を遊技者に強く印象付けることは可能となるものの、演出部材の前側に開閉部材が備えられる関係上、演出部材が奥側に配置されることになり、演出部材の視認性が低下することに繋がっていた。このため、演出部材の作動時の意外性を損なうことなく、開閉部材の開放時における演出部材の視認性を向上した演出装置が望まれている。
そこで、本発明は、開閉部材の開放時における演出部材の視認性を高めた演出装置を備える遊技機を提供することを目的とする。
【課題を解決するための手段】
【０００６】
前記課題を克服し、所期の目的を達成するため、請求項１に係る遊技機は、
遊技盤(20)に演出装置(35)が配設された遊技機において、
前記演出装置(35)は、
駆動手段(61)が配設される本体部材(36)と、
前記本体部材(36)に配設されて該本体部材(36)との間に収容空間(65)を画成すると共に、該収容空間(65)を閉鎖する閉鎖位置、および当該収容空間(65)を開放する開放位置の間を移動可能な開閉部材(50,51)と、
前記本体部材(36)に配設され、前記収容空間(65)内に収容された収容位置、および前記開閉部材(50,51)の開放位置への移動により開口した開放口を介して収容空間(65)の外方に突出する進出位置の間を移動可能な演出部材(70)と、
前記駆動手段(61)の駆動に伴って前記開閉部材(50,51)を閉鎖位置および開放位置の間で移動させると共に、該開閉部材(50,51)の移動に連動して前記演出部材(70)を収容位置および進出位置の間で移動させる駆動伝達手段(90)とを備え、
前記駆動伝達手段(90)は、
前記駆動手段(61)の駆動により第１位置および第２位置の間を往復移動されると共に、第１作動軸(94)および第２作動軸(95)が形成された第１作動体(93)と、
前記第１作動体(93)の第１作動軸(94)および開閉部材(50,51)に接続され、前記閉鎖位置に対応した開閉部材閉鎖位置と開放位置に対応した開閉部材開放位置との間を移動可能な第２作動体(102)と、
前記第１作動体(93)の第２作動軸(95)および演出部材(70)に接続され、前記収容位置に対応した演出部材収容位置と進出位置に対応した演出部材進出位置との間を移動可能な第３作動体(112)とを備え、
前記第２作動体(102)は、
前記開閉部材閉鎖位置および開閉部材開放位置において前記第１位置と当該第１位置から第２位置に至る間の切替位置との間を移動する前記第１作動軸(94)の移動軌跡に端縁が対向し、当該第１位置および切替位置の間を移動する第１作動軸(94)に押圧される第１の孔部(105a)と、
前記第１の孔部(105a)に接続すると共に、前記開閉部材開放位置において前記切替位置と第２位置との間を移動する前記第１作動軸(94)の往復移動軌跡に沿って延在する第２の孔部(105b)とを有し、
前記第１位置から切替位置へ移動する前記第１作動軸(94)が第１の孔部(105a)の端縁を押圧することで、前記第２作動体(102)が開閉部材閉鎖位置から開閉部材開放位置へ移動され、当該開閉部材開放位置において切替位置および第２位置の間を第２の孔部(105b)に沿って移動する第１作動軸(94)が第２作動体(102)を開閉部材開放位置に静止保持すると共に、切替位置から第１位置へ移動する第１作動軸(94)が第１の孔部(105a)の端縁を押圧することで、第２作動体(102)が開閉部材開放位置から開閉部材閉鎖位置へ移動されるよう構成され、
前記第３作動体(112)は、
前記演出部材収容位置において前記第２作動軸(95)の移動軌跡に沿って延在すると共に、前記演出部材進出位置において第２作動軸(95)の移動軌跡に延在し、前記第２位置から切替位置に移動する際に第２作動軸(95)が当接して押圧される第１押圧壁(113)と、
前記演出部材収容位置において前記第２作動軸(95)の移動軌跡に延在し、前記第１位置から切替位置に移動した際に第２作動軸(95)が当接し、当該切替位置から第２位置に移動する第２作動軸(95)に押圧される第２押圧壁(114)と、
前記演出部材収容位置において前記第１作動体(93)の第１位置から切替位置へ向けての移動を許容する状態で前記第２作動軸(95)が係合する第１係合部(115)と、
前記演出部材進出位置において前記第１作動体(93)の第２位置から切替位置へ向けての揺動を許容する状態で前記第２作動軸(95)が係合する第２係合部(116)とを備え、
前記第１位置から切替位置の間を前記第２作動軸(95)が第１押圧壁(113)に沿って移動することで、前記第３作動体(112)が演出部材収容位置で静止保持され、切替位置から第２位置への移動に伴って前記第２作動軸(95)が第２押圧壁(114)を押圧することで、前記第３作動体(112)が演出部材収容位置から演出部材進出位置へ移動されると共に、第２位置から切替位置への移動に伴って前記第２作動軸(95)が第１押圧壁(113)を押圧することで、前記第３作動体(112)が演出部材進出位置から演出部材収容位置へ移動されるよう構成されたことを要旨とする。
【０００７】
請求項１に係る遊技機では、収容空間に収容された演出部材を、開閉部材の開放位置への移動により開口した開放口を介して収容空間の外方に突出する進出位置へ移動するよう構成したことで、該演出部材の視認性が向上する。また、駆動手段の駆動に伴って駆動伝達手段が動作されることで、開閉部材が閉鎖位置および開放位置の間で移動すると共に、該開閉部材の移動に連動して演出部材が収容位置および進出位置の間で移動する。すなわち、開閉部材の開閉動作と演出部材の進退動作とを単一の駆動手段により行ない得るから、演出装置の小型化やコストの低減を図り得る。しかも、単一の駆動手段の駆動により開閉部材および演出部材を動作する際に、開閉部材を閉鎖位置から開放位置へ移動させた後に演出部材を収容位置から進出位置へ移動開始させ、更に該演出部材を進出位置から収容位置へ移動させた後に開閉部材を開放位置から閉鎖位置へ移動開始させるよう駆動伝達手段が構成されているから、開閉部材と演出部材との衝突を確実に回避できる。
更に、第１作動体の往復移動に伴って第２作動体が作動されることで、前記開閉部材が閉鎖位置と開放位置との間で移動すると共に、該第１作動体の往復移動に伴って第３作動体が作動されることで、前記演出部材が収容位置と進出位置との間で移動する。ここで、第２作動体は、第１作動体が第１位置から切替位置の間で移動することで開閉部材を開閉動作し、切替位置から第２位置の間で第１作動体が移動した際には開閉部材開放位置で停止される一方、第３作動体は、第１作動体が切替位置から第２位置の間で移動することで演出部材を進退動作し、第１位置から切替位置の間で第１作動体が移動した際には演出部材収容位置で停止される。すなわち、駆動手段の駆動により第１作動体が移動した際に、第２作動体および第３作動体が個別に作動することで、開閉部材と演出部材との衝突を確実に回避できる。
【０００８】
請求項２に係る遊技機は、前記本体部材(36)には、前記演出装置(35)の進退方向に延在する第１ガイド軸(40)が前記収容空間(65)内に突出するよう設けられると共に、該演出装置(35)の進退方向に貫通する貫通孔(41a)が形成された第１の支持部(41)が収容空間(65)内に突出するよう設けられ、
前記演出部材(70)には、前記第１ガイド軸(40)と対応する位置に、該第１ガイド軸(40)が摺動可能に挿入される第２の支持部(71)が設けられると共に、前記第１の支持部(41)と対応する位置に、前記貫通孔(41a)に挿入される第２ガイド軸(86)が設けられ、
前記演出部材(70)が収容位置に保持された状態で、前記第２ガイド軸(86)が前記第１の支持部(41)の貫通孔(41a)を貫通して前記本体部材(36)から突出すると共に、前記本体部材(36)が設けられる設置部(32)には、前記第１の支持部(41)と対応する位置に、前記第２ガイド軸(86)が挿入される退避部(32a)が形成され、
前記演出部材(70)が収容位置および進出位置の間を移動する際に、前記第１の支持部(41)の前記貫通孔(41a)の全長に亘って第２ガイド軸(86)が常に挿通されるよう構成されたことを要旨とする。
【０００９】
請求項２に係る遊技機では、前記演出部材が収容位置および進出位置の間を移動する間の全体で、前記本体部材に設けた第１の支持部の貫通孔の全長に亘って演出部材に設けた第２ガイド軸が常に挿通されるから、演出部材の安定性が向上すると共に、演出部材の移動距離を長くすることができる。
そして、演出部材が収容位置にある状態において、演出部材に設けた第２ガイド軸を本体部材から突出するよう構成したことにより、収容位置にある状態で第１の支持部にのみ第２ガイド軸が挿入される場合に較べて演出部材の移動距離を長くすることができる。また、本体部材から突出する第２ガイド軸を退避させる退避部を設置部に形成したことで、該第２ガイド軸と設置部との干渉を防止し得るだけでなく、他の部材が第２ガイド軸に接触して損傷したり、配線等が第２ガイド軸に引っ掛かって断線等するのを効果的に防止することができる。
【００１０】
請求項３に係る遊技機は、前記第１ガイド軸(40,40)は前方へ突出すると共に、前記第１の支持部(41)の貫通孔(41a)は、第１ガイド軸(40,40)の上方に前後方向に貫通するよう設けられて、当該第１ガイド軸(40,40)および第１の支持部(41)に挿入される第２ガイド軸(86)を、下辺が水平な正三角形の頂点位置に位置するよう配置したことを要旨とする。
【００１１】
請求項３に係る遊技機では、演出部材を安定して支持し得る。
【発明の効果】
【００１２】
すなわち、本発明に係る遊技機によれば、、開閉部材の開放時に演出部材が収容空間から外方に突出するよう移動して、演出部材の視認性が向上される。
【図面の簡単な説明】
【００１３】
【図１】本発明の実施例に係るパチンコ機を示す正面図である。
【図２】実施例に係る遊技盤を示す正面図である。
【図３】実施例に係る遊技盤と裏ユニットの分解図である。
【図４】実施例に係る裏ユニットにおいて可動演出装置が設置される上部位置を示す正面図である。
【図５】実施例に係る可動演出装置の正面図である。
【図６】実施例に係る可動演出装置を前面側から視た状態で示す斜視図である。
【図７】実施例に係る可動演出装置を背面側から視た状態で示す斜視図である。
【図８】実施例に係る可動演出装置を示す側面図であって、開閉部材が閉鎖位置にある状態を示す。
【図９】実施例に係る可動演出装置の分解斜視図である。
【図１０】実施例に係る駆動伝達手段の作動機構および開閉機構部を上支持板から分離した状態を示す分解斜視図である。
【図１１】図４におけるＡ―Ａ線断面図である。
【図１２】実施例に係る発光演出体を前面下方側から視た状態で示す分解斜視図である。
【図１３】実施例に係る発光演出体および駆動伝達手段の進退機構部を前面上方側から視た状態で示す分解斜視図である。
【図１４】実施例に係る本体側ＬＥＤ基板のＬＥＤと光反射部材との関係を示す説明図であって、(a)は光反射部材の反射面が前方を向く状態を示し、(b)は光反射部材の反射面が側方を向く状態を示し、(c)は光反射部材の反射面が後方を向く状態を示す。
【図１５】実施例に係る本体側ＬＥＤ基板のＬＥＤおよび演出体側ＬＥＤ基板のＬＥＤの夫々と、光反射部材との関係を示す説明図であって、(a)は光反射部材を省略した状態を示し、(b)は光反射部材の反射面が前方を向く状態を示し、(c)は光反射部材の反射面が側方を向く状態を示し、(d)は光反射部材の反射面が後方を向く状態を示す。
【図１６】(a)は実施例に係る作動機構部と開閉機構部との関係を前面側から視た状態で示す斜視図であり、(b)は実施例に係る作動機構部と進退機構部との関係を背面側方から視た状態で示す斜視図である。
【図１７】実施例に係る作動アームを示す斜視図であって、(a)は正面側から視た状態を示し、(b)背面側から視た状態を示す。
【図１８】実施例に係る可動演出装置を示す平面図であって、開閉部材が閉鎖位置にある状態を示す。
【図１９】実施例に係る可動演出装置を示す平面図であって、作動アームが切替位置、開閉部材が開放位置、スライダが前移動位置、作動部材が待機位置にある状態を示す。
【図２０】図１９に示す可動演出装置の正面図である。
【図２１】図１９に示す可動演出装置の側面図である。
【図２２】実施例に係る可動演出装置を示す平面図であって、作動アームが終位置、開閉部材が開放位置、スライダが後移動位置、作動部材が作動位置にある状態を示す。
【図２３】図２２に示す可動演出装置の側面図である。
【図２４】実施例に係る作動アームとスライダとの関係を示す説明図であって、(a)は作動アームが初期位置にあり、スライダが前移動位置にある状態を示し、(b)は作動アームが切替位置にあり、スライダが後移動位置にある状態を示し、(c)は作動アームが終位置にあり、スライダが後移動位置にある状態を示す。
【図２５】実施例に係る作動機構部と進退機構部との関係を示す平面図であって、作動アームが初期位置にある状態を示す。
【図２６】実施例に係る作動機構部と進退機構部との関係を示す平面図であって、作動アームが切替位置にある状態を示す。
【図２７】実施例に係る作動機構部と進退機構部との関係を示す平面図であって、作動アームが作動位置にある状態を示す。
【図２８】実施例に係る作動アームと作動部材との関係を示す説明図であって、(a)は作動アームが初期位置にあり、作動部材が待機位置にある状態を示し、(b)は作動アームが切替位置にあり、作動部材が待機位置にある状態を示し、(c)は作動アームが終位置にあり、作動部材が作動位置にある状態を示す。
【発明を実施するための形態】
【００１４】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１５】
(パチンコ機について)
実施例に係るパチンコ機１０は、図１に示すように、前後に開口する矩形枠状に形成されて遊技店の図示しない設置枠台に固定される固定枠としての外枠１１の開口前面側に、後述する遊技盤２０(図２参照)を着脱可能に保持する本体枠としての中枠１２が開閉および着脱可能に組み付けられて、該遊技盤２０の裏側に、各種図柄を変動表示可能な図柄表示装置１７が着脱可能に配設されている。また、前記中枠１２の前面側には、前記遊技盤２０を透視保護するガラス板等の透視保護体１３ａを備えた装飾枠としての前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。また、前記中枠１２の右下方位置には、該中枠１２に配設された打球発射装置(図示せず)を作動する操作ハンドル１６が設けられており、該操作ハンドル１６の操作により打球発射装置が作動することで、前記上球受け皿１４に貯留されたパチンコ球が前記遊技盤２０に向けて発射されるようになっている。なお、実施例では、前記図柄表示装置１７として、各種図柄を表示可能な液晶パネルを収容ケースに収容した液晶表示装置が採用されるが、これに限られるものではなく、ドラム式の表示装置やドットマトリックス式の表示装置、７セグメントディスプレイ、その他の各種図柄を停止および変動表示可能な表示装置を採用し得る。また、前記上球受け皿１４は、前記前枠１３と別体に形成して中枠１２に対して開閉可能に組み付けるようにしてもよく、また上下の球受け皿１４,１５の一方を省略して１つの球受け皿のみ設ける構成であってもよい。
【００１６】
(遊技盤２０について)
前記遊技盤２０は、図２に示すように、所定板厚の略矩形状に形成された合板の表面にセルを貼付けた板部材であって、該遊技盤２０の表面に、略円形状に湾曲形成したレール２１が配設されて、該レール２１によりパチンコ球が流下可能な遊技領域２０ａが画成され、前記打球発射装置から発射されたパチンコ球が遊技領域２０ａ内に打ち出されるようになっている。また遊技盤２０には、前後に貫通する装着口(図示せず)が前記遊技領域２０ａ内に複数開設されて、各装着口に対して各種部品が前側から取付けられると共に、遊技領域２０ａの最下部位置には、該遊技領域２０ａに打ち出されたパチンコ球を排出するアウト口２２が開設されている。また、前記遊技盤２０には、前記遊技領域２０ａ内に多数の遊技釘が植設されており、遊技領域２０ａを流下するパチンコ球が遊技釘に接触することでパチンコ球の流下方向を不規則に変化させたり、パチンコ球を一定方向に誘導するようになっている。なお、前記装着口の形成数や大きさは、遊技盤２０に対して取付けられる各種部品の個数や配設位置等に応じて適宜決定される。
【００１７】
ここで、前記遊技盤２０には、前記遊技領域２０ａの略中央に設けられた装着口(図示せず)に、前後に開口する窓口２３ａが形成された枠状装飾体２３(図２参照)が取付けられ、該枠状装飾体２３の窓口２３ａを介して図柄表示装置１７の表示面が遊技盤２０の前面側に臨むよう構成されている。また、枠状装飾体２３の下方には、遊技領域２０ａを流下するパチンコ球が入賞可能な始動入賞装置２４や特別入賞装置２５が取付けられている。そして、前記始動入賞装置２４の入賞口２４ａにパチンコ球が入賞することで、前記図柄表示装置１７に図柄を変動表示する図柄変動演出が展開され、該図柄変動演出の結果、図柄表示装置１７に所定の図柄組み合わせ(例えば同一図柄の３つ揃い等)で図柄が停止表示されると、前記特別入賞装置２５が開放して所謂大当りが発生し、特別入賞装置２５の入賞口２５ａが開放されて遊技者が多数の賞球を獲得可能な機会が与えられるようになっている。
【００１８】
(裏ユニット３０について)
また、前記遊技盤２０の裏面には、図２または図３に示すように、前記図柄表示装置１７が取付けられる裏ユニット３０が設けられている。前記裏ユニット３０は、前方へ開口する略矩形箱状に形成されて、前端部が前記遊技盤２０の裏側に固定されている。そして、前記裏ユニット３０において前記遊技盤２０に対向する背面板３１の裏側に、前記図柄表示装置１７が着脱可能に取付けられると共に、該背面板３１における図柄表示装置１７の表示面に対応する位置に、前後に開口する開口部３１ａ(図４参照)が開設されており、該裏ユニット３０の開口部３１ａに臨ませた図柄表示装置１７の表示面が前記枠状装飾体２３の窓口２３ａを介して遊技盤２０の前側から視認し得るようになっている。また、前記裏ユニット３０における背面板３１の前面側には、各種の演出装置３５や装飾部材が配設されて、前記枠状装飾体２３の窓口２３ａを介して遊技盤２０の前面に露出するようになっている。すなわち、前記裏ユニット３０は、パチンコ機１０の遊技演出に関わる図柄表示装置１７や演出装置３５の設置部材として機能している。ここで、実施例の裏ユニット３０では、前記開口部３１ａの上部に設けられた設置部３２(図４、図１１参照)に可動演出装置３５が設けられており、前記枠状装飾体２３の上部位置に形成された前後に開口する窓部２３ｂ(図２参照)を介して可動演出装置３５がパチンコ機１０の前面に露出するようになっている。
【００１９】
(可動演出装置３５について)
実施例に係る可動演出装置３５は、図５〜図９に示すように、前記裏ユニット３０(設置部３２)に取付けられると共に第１駆動モータ(駆動手段)６１が配設される本体部材３６と、該本体部材３６に配設されて本体部材３６との間に画成された収容空間６５(図５、図１１等参照)を開閉する開閉部材５０,５１と、本体部材３６に前後移動可能に配設された発光演出体(演出部材)７０と、第１駆動モータ６１を開閉部材５０,５１および発光演出体７０に接続する駆動伝達手段９０とから構成されている。すなわち、実施例の可動演出装置３５は、図示しない制御装置からの制御信号に基づいて前記第１駆動モータ６１が駆動されるのに伴って、前記駆動伝達手段９０を介して前記開閉部材５０,５１が開閉動作されると共に、前記発光演出体７０が前後移動するよう構成される。なお、実施例では、前記第１駆動モータ６１を制御する制御装置は、前記図柄表示装置１７を制御する表示制御装置であって、該表示制御装置により後述する第２駆動モータ８１の駆動制御や各ＬＥＤ３９ａ,８８ａの発光制御が行なわれるようになっている。
【００２０】
(本体部材３６について)
前記本体部材３６は、図５〜図９に示すように、前記裏ユニット３０の設置部３２に取付けられる取付ベース部３７と、該取付ベース部３７の上端縁に前方へ延出するよう設けられた上支持体４５と、当該取付ベース部３７の下端部に前方へ延出するよう取付けられて上支持体４５に対向する下支持体５９とから構成されて、前方および左右側方へ開口する凹状に構成されている。また、前記取付ベース部３７の裏面下部位置(設置部３２との対向面側)には、後方に開口する基板設置部３８が凹設されて、該基板設置部３８に本体側ＬＥＤ基板(第２発光手段)３９が収容されている。前記本体側ＬＥＤ基板３９には、左右方向に離間する位置に、前方へ向けて光を照射する２つのＬＥＤ３９ａが実装されている。前記本体側ＬＥＤ基板３９は、前記発光演出体７０の透視体８３(後述)に対向するよう構成されて、前記ＬＥＤ３９ａの光が透視体８３に向けて照射されるようになっている。なお、前記取付ベース部３７(基板設置部３８)には、前記本体側ＬＥＤ基板３９に実装された各ＬＥＤ３９ａと対応する位置に、前後に貫通する透視孔３８ａが形成されており、該透視孔３８ａを介して各ＬＥＤ３９ａが前方へ臨んで、該ＬＥＤ３９ａからの光が直接前方照射されるようになっている。ここで、前記本体側ＬＥＤ基板３９に設けられた各ＬＥＤ３９ａは、複数色を発光可能なＬＥＤが採用されると共に、前記制御装置からの制御信号に基づいて各ＬＥＤ３９ａを個別に発光制御し得るよう構成されている。
【００２１】
図９に示すように、前記取付ベース部３７には、前記基板設置部３８の上方(取付ベース部３７の上下方向の略中間位置)に、前方へ突出する下部ガイド棒４０,４０(第１ガイド軸)が左右方向に離間する位置に設けられて、前記発光演出体７０が下部ガイド棒４０,４０に摺動可能に支持されている。また、前記取付ベース部３７の上端部近傍には、前後に貫通する貫通孔４１ａが形成された支持筒部(第１の支持部)４１が前方へ突出するよう形成されており、前記発光演出体７０に設けられた後述する上部ガイド棒８６(第２ガイド軸)が前方から挿入されている。すなわち、前記発光演出体７０は、下部ガイド棒４０,４０および上部ガイド棒８６を介して取付ベース部３７に支持されると共に、両ガイド棒４０,４０,８６に沿って前後進退移動し得るよう構成されている。なお、前記下部ガイド棒４０,４０および支持筒部４１(上部ガイド棒８６)の夫々は、下辺が水平な略正三角形の頂点位置に位置するよう配置されており、前記発光演出体７０を安定して支持し得るようになっている。また、実施例の下部ガイド棒４０,４０および上部ガイド棒８６は、金属製の棒状部材であって、ガイド棒４０,４０,８６に沿って移動する前記発光演出体７０の安定性を向上している。
【００２２】
また、前記取付ベース部３７には、前記支持筒部４１の下方に、前後に貫通する横長矩形状の配線挿通孔４２が形成されており、前記発光演出体７０に接続する配線を後方に導出し得るようになっている。そして、前記取付ベース部３７の裏側には、前記配線挿通孔４２に対応する位置には、後方および左側方へ開口する配線挿通凹部４４(図７、図８参照)が形成されると共に、該配線挿通孔４２および配線挿通凹部の後方開口部を塞ぐ配線ガイド部材４３が配設されており、当該配線挿通孔４２を挿通した配線を取付ベース部３７の左側方に導出するよう構成されている。なお、前記配線ガイド部材４３には、前記配線挿通孔４２と対応する位置に円弧状に湾曲した湾曲面４３ａが形成され、配線挿通孔４２を挿通した配線に負荷を与えることなく取付ベース部３７の左側方に誘導し得るようになっている。
【００２３】
(上支持体４５)
前記上支持体４５は、図９〜図１１、図１８、図１９に示すように、略矩形板状に形成されて、左下面側に前記第１駆動モータ６１が配設されると共に、右下面側に前記開閉部材５０,５１が配設されている。そして、前記上支持体４５の上端側に、前記駆動伝達手段９０の一部(作動機構部９１および開閉機構部１０１)を配設するよう構成されている。すなわち、前記上支持体４５は、前記第１駆動モータ６１や前記開閉部材５０,５１、前記駆動伝達手段９０の作動機構部９１および開閉機構部１０１を設置する設置部材として機能している。
【００２４】
前記上支持体４５には、図１０、図１１に示すように、前記取付ベース部３７の支持筒部４１の上方前方位置に、上下に貫通する軸孔４６が形成されて、前記開閉部材５０,５１に設けられた回転軸５５が軸孔４６に回転可能に挿通されている。また、前記上支持体４５には、前記軸孔４６を中心とする円弧状に形成された円弧状ガイド孔４７ａ,４７ｂが左右対称に形成されており、前記開閉部材５０,５１に設けられた連結軸５７,５７が下方から挿通されている。また、前記上支持体４５における前記軸孔４６の後方位置には、後方へ延出するガイド部４８が設けられており、該ガイド部４８の上面側に、前記駆動伝達手段９０(開閉機構部１０１)を構成するスライダ１０２(後述)が前後移動可能に配設される。また、前記ガイド部４８には、前記軸孔４６の後方位置に上方に開口する固定孔４８ａが形成されて、前記スライダ１０２の前後移動を案内するガイド軸４９が固定孔４８ａに上方に突出するよう固定されている。
【００２５】
(開閉部材５０,５１について)
前記開閉部材５０,５１は、図５、図６、図９〜図１１、図１６に示すように、球面状に湾曲形成された左側開閉部材５０と、同様に球面状に湾曲形成された右側開閉部材５１とから構成されて、左右の開閉部材５０,５１の端縁部を当接した状態で略半球状を呈するようになっている。前記右側開閉部材５１の上端部には、上方へ突出する固定筒部５４(図１１参照)が形成されており、該固定筒部５４に前記回転軸５５が上方に突出するよう固定されると共に、該右側開閉部材５１の下端部には、該回転軸５５と上下に整列する位置に上下に貫通する下貫通孔５６が形成されている。一方、前記左側開閉部材５０の上端部には、上下に貫通する上貫通孔５２が形成されて、該上貫通孔５２に前記右側開閉部材５１の固定筒部５４が下方から回転可能に挿通されると共に、該左側開閉部材５０の下端部には、下方に突出する下支軸５３が形成されて、該下支軸５３が右側開閉部材５１の下貫通孔５６に上方から回転可能に挿入される。なお、前記下支軸５３は、前記右側開閉部材５１の下貫通孔５６を貫通するよう構成されており、該下支軸５３の突出端部が前記下支持体５９に形成された孔部５９ａに回転可能に支持される(図１１参照)。
【００２６】
すなわち、前記左右の開閉部材５０,５１は、前記回転軸５５および下支軸５３を中心として、相互に近接および離間する方向に回転可能に構成されている。また、前記左右の開閉部材５０,５１には、前記上支持体４５に形成した左右の円弧状ガイド孔４７ａ,４７ｂの下方位置に、上方に突出する連結軸５７が夫々固定されている。前記各開閉部材５０,５１に設けられた連結軸５７は、対応する円弧状ガイド孔４７ａ,４７ｂを介して上支持体４５の上方に突出すると共に、前記駆動伝達手段９０(開閉機構部１０１)に接続され、該駆動伝達手段９０の作動により開閉部材５０,５１が回転されるようになっている。
【００２７】
なお、以下の説明では、前記左右の開閉部材５０,５１の端縁部が当接して半球状を呈して、前記本体部材３６(取付ベース部３７)との間に発光演出体７０の収容空間６５を画成した状態を閉鎖位置(図５、図６、図８〜図１１、図１８参照)と指称し、該左右の開閉部材５０,５１が相互に離間するよう回転して、両開閉部材５０,５１間の開放口を介して収容空間６５が前方に開放する状態を開放位置(図１９〜図２３参照)と指称するものとする。また、実施例に係る左右の開閉部材５０,５１は、乳白色に呈色された光透過性の合成樹脂材により形成されて、前記本体側ＬＥＤ基板３９のＬＥＤ３９ａの光や、発光演出体７０に設けられた演出体側ＬＥＤ基板８８のＬＥＤ８８ａの光が照射されて明輝するようになっている。
【００２８】
(発光演出体７０について)
前記発光演出体７０は、図１１〜図１３に示すように、前記本体部材３６の取付ベース部３７に形成された前記下部ガイド棒４０,４０に対して前後移動可能に支持されるガイドベース７１と、該ガイドベース７１に対して回転可能に支持される回転反射部材７７と、該回転反射部材７７を回転する第２駆動モータ(駆動手段)８１と、当該ガイドベース７１、回転反射部材７７および第２駆動モータ８１の前方および側方を囲繞する装飾カバー体８２と、回転反射部材７７に光を照射する演出体側ＬＥＤ基板(第１発光手段)８８とから基本的に構成される。そして、前記第１駆動モータ６１の駆動に伴って、前記開閉部材５０,５１の内側に画成された前記収容空間６５内に収容可能な収容位置(図１１、図１９、図２１参照)と、該開閉部材５０,５１の開放位置への移動により開口した開放口を介して装飾カバー体８２が収容空間６５の前方(外方)に突出する進出位置(図２２、図２３参照)の間を移動し得るようになっている。
【００２９】
前記装飾カバー体８２は、前記回転反射部材７７の前方に配置されて、後方および上方に開口する光透過性の透視体(光透過部材)８３と、該透視体８３の上方開口に整合するよう下方に開口すると共に後方へ開口する円筒状の装飾体８４と、該透視体８３および装飾体８４の後方開口縁を囲繞する環状に形成された環状装飾部材８５とから構成される。なお、環状装飾部材８５は、前記ガイドベース７１、回転反射部材７７、第２駆動モータ８１、透視体８３および装飾体８４の夫々がネジ止めされる支持体としても機能する部材である。また、前記本体部材３６の支持筒部４１の貫通孔４１ａに対応する位置には、前記上部ガイド棒８６が後方へ突出するよう取付けられており、該上部ガイド棒８６が支持筒部４１の貫通孔４１ａに対して前方から挿通されている。ここで、図１１に示すように、前記上部ガイド棒８６は、前記発光演出体７０が収容位置に保持された状態で、前記支持筒部４１の貫通孔４１ａを貫通して本体部材３６の後方に突出すると共に、該発光演出体７０が進出位置に保持された状態で、上部ガイド棒８６の後端部が本体部材３６の後面に略整合するよう形成されており、当該発光演出体７０が収容位置および進出位置の間で移動する全体に亘って、支持筒部４１により上部ガイド棒８６が支持されるようになっている。なお、前記裏ユニット３０には、前記支持筒部４１と対応する位置に、前記本体部材３６の後方に突出する上部ガイド棒８６を挿入される退避部３２ａが形成されている。
【００３０】
また、前記ガイドベース７１は、図１２、図１３に示すように、前記透視体８３と装飾体８４との接合位置に略整合させた状態で取付けられている。すなわち、前記装飾カバー体８２の内部空間をガイドベース７１で上下に仕切るようになっている。そして、前記ガイドベース７１の上方側の空間(すなわち装飾体８４の裏側の空間)に、前記第２駆動モータ８１が駆動軸８１ａを下方に向けた姿勢で配置されると共に、該第２駆動モータ８１とガイドベース７１との間に前記演出体側ＬＥＤ基板８８が配置されている。前記演出体側ＬＥＤ基板８８の下面には、前記第２駆動モータ８１の駆動軸８１ａを挿通する挿通孔８８ｂが形成されると共に、該駆動軸８１ａの軸線方向に光を照射するＬＥＤ８８ａが周方向に離間して複数(実施例では３個)実装される。ここで、前記演出体側ＬＥＤ基板８８に設けられた各ＬＥＤ８８ａは、複数色を発光可能なＬＥＤが採用されると共に、制御装置からの制御信号に基づいて各ＬＥＤ８８ａを個別に発光制御し得るよう構成されている。
【００３１】
また、図１２、図１３、図１６(b)に示すように、前記ガイドベース７１の左右側縁には、側方および後方に開口するガイド凹部７２,７２が対応的に形成されている。そして、前記ガイド凹部７２,７２の後方開口を介して前記本体部材３６に設けられた前記下部ガイド棒４０,４０が摺動可能に挿入されている。また、前記ガイドベース７１には、上下方向に円形状に開口する円形開口部７３が前方に偏倚した位置に形成されると共に、該円形開口部７３の下端縁部に、当該円形開口部７３の内側に突出する係合突部７３ａが形成されており、該係合突部７３ａに前記回転反射部材７７(後述の透明円板体７８のフランジ部７８ｂ)が係合するようになっている。
【００３２】
更に、前記ガイドベース７１における前記円形開口部７３の後方端縁部には、上下方向および円形開口部７３の内側に開口するセンサ用切欠部７４が設けられており、このセンサ用切欠部７４に、前記演出体側ＬＥＤ基板８８に実装された位置検出センサ８９が臨んでいる。また、前記ガイドベース７１の後端部には上方へ突出する突出部７５が形成されており、前記駆動伝達手段９０(後述する進退機構部１１１の連結部材１１８)が接続されて、該駆動伝達手段９０(進退機構部１１１)の作動に伴ってガイドベース７１(発光演出体７０)が下部ガイド棒４０,４０に沿って前後に移動されるようになっている。
【００３３】
(回転反射部材７７)
前記回転反射部材７７は、図１２、図１３に示すように、前記ガイドベース７１の円形開口部７３に回転可能に嵌合する透明円板体７８と、該透明円板体７８の下面に取付けられる反射板(光反射部材)７９とから構成されて、該透明円板体７８の中心位置に上方へ向けて突設された連結部７８ａに、前記第２駆動モータ８１の回転軸８１ａが連結されている。すなわち、前記制御装置からの制御信号に基づいて前記第２駆動モータ８１が回転されるのに伴って、前記透明円板体７８が回転するようになっている。ここで、前記反射板７９は、前記ガイドベース７１の下方側の空間(すなわち透視体８３の裏側の空間)に配置されて、該反射板７９が透視体８３に対向するよう構成される。
【００３４】
また、図１１〜図１３に示すように、前記透明円板体７８は、前記ガイドベース７１の円形開口部７３に形成された係合突部７３ａにより形成される開口形状に略整合する円板状に形成されると共に、該透明円板体７８の上端縁部に、径方向外方に突出するようフランジ部７８ｂが形成されており、該ガイドベース７１の係合突部７３ａとフランジ部７８ｂとが係合することで、透明円板体７８のガイドベース７１からの脱落が防止されると共に、透明円板体７８の回転時のブレを抑制するよう構成されている。また、前記透明円板体７８の外周縁には、上方へ突出する位置検出片７８ｃが設けられて、該位置検出片７８ｃを前記演出体側ＬＥＤ基板８８に設けた位置検出センサ８９で検出することで、透明円板体７８(回転反射部材７７)の原位置が検出されるようになっている。なお、前記回転反射部材７７が原位置にある状態では、図１１に示すように、前記反射板７９の反射面７９ａが前方(透視体８３)へ向く姿勢に保持される。
【００３５】
(反射板７９)
前記反射板７９は、図１１に示すように、前記回転反射部材７７が原位置にある状態において、前記回転反射部材７７の回転軸線(すなわち第２駆動モータ８１の駆動軸８１ａの軸線)から後方に偏倚した位置に取付けられると共に、該回転軸線に対して反射面７９ａが透明円板体７８(演出体側ＬＥＤ基板８８)側に対向するよう傾斜するよう構成されている。ここで、前記演出体側ＬＥＤ基板８８のＬＥＤ８８ａは、図１５に示すように、前記第２駆動モータ８１の駆動軸８１ａの軸線方向から視た状態で、前記反射板７９の回転領域の内側に位置するよう配置されており、各ＬＥＤ８８ａから前記回転反射部材７７の回転軸線方向に照射された光が反射板７９で回転軸線方向と交差する方向に反射されるようになっている。すなわち、前記第２駆動モータ８１の駆動軸８１ａに伴って前記回転反射部材７７が回転することで、前記反射板７９で反射された光の照射方向が変化し、前記透視体８３に照射される光の強度の変化による発光演出が行なわれるようになっている。
【００３６】
ここで、前記本体部材３６に設けられた本体側ＬＥＤ基板３９のＬＥＤ３９ａ,３９ａは、図１４に示すように、前記回転反射部材７７が原位置にある状態において、前記反射板７９の裏側に重なると共に、該反射板７９が側方を向く姿勢(原位置から回転反射部材７７が９０度または２７０度回転した状態)において、該ＬＥＤ３９ａ,３９ａの間に反射板７９が位置するよう配置されている。すなわち、前記回転反射部材７７が原位置(反射板７９の反射面７９ａが前方を向く姿勢)にある状態および回転反射部材７７が１８０度回転した状態では、前記本体側ＬＥＤ基板３９のＬＥＤ３９ａから光は、前記反射板７９に遮られて前記透視体８３に直接照射されることはなく、該反射板７９の外周縁から漏れた間接光が透視体８３に照射される。そして、反射板７９が側方を向く姿勢(原位置から回転反射部材７７が９０度または２７０度回転した状態)では、本体側ＬＥＤ基板３９のＬＥＤ３９ａから光が透視体８３に直接照射されるようになっている。すなわち、反射板７９の反射面７９ａが後方や側方を向いた状態でも、前記透視体８３は本体側ＬＥＤ基板３９のＬＥＤ３９ａで照明され、反射板７９の回転時に透視体８３に対する本体側ＬＥＤ基板３９のＬＥＤ３９ａや演出体側ＬＥＤ基板８８のＬＥＤ８８ａからの光の照明が完全に失われることはない。しかも、前記反射板７９の回転に伴って透視体８３に照射される光の強さを変化させることができ、透視体８３の発光強度の変化による演出を行なうことが可能となっている。
【００３７】
(駆動伝達手段９０について)
前記駆動伝達手段９０は、図６、図７、図１６、図１８〜図２８に示すように、前記本体部材３６に取付けられた前記第１駆動モータ６１により作動される作動機構部９１と、該作動機構部９１に連繋接続されて前記左右の開閉部材５０,５１を開閉動作させる開閉機構部１０１と、当該作動機構部９１に連繋接続されて前記発光演出体７０を前後方向に進退移動させる進退機構部１１１とから構成される。すなわち、第１駆動モータ６１の駆動に伴って作動機構部９１を介して開閉機構部１０１および進退機構部１１１が作動されることで、開閉部材５０,５１と発光演出体７０が動作するようになっている。
【００３８】
(作動機構部９１)
前記作動機構部９１は、図１６、図１８等に示すように、前記第１駆動モータ６１の駆動軸６１ａに連結される駆動歯車９２と、前記本体部材３６の上支持体４５に立設された支軸９７に回転可能に支持される作動アーム(第１作動体)９３とから構成される。そして、前記作動アーム９３に形成された歯車部９３ａが駆動歯車９２に噛合して、前記第１駆動モータ６１の駆動に伴って作動アーム９３が揺動するよう構成されている。そして、前記作動アーム９３には、自由端部側(支軸９７から離間する端部側)に上方へ突出する第１作動軸９４が形成されて、該第１作動軸９４に前記開閉機構部１０１が接続される。
【００３９】
また、前記作動アーム９３において前記第１作動軸９４から支軸９７側に近接した位置には、該作動アーム９３の後方へ突出する突出片９３ｂが形成されると共に、該突出片９３ｂに下方へ突出する第２作動軸９５が形成されており、該第２作動軸９５に前記進退機構部１１１が接続されている。すなわち、前記第１駆動モータ６１の駆動に伴って前記作動アーム９３(第１作動軸９４および第２作動軸９５)が回転変位することで、第１作動軸９４を介して前記開閉機構部１０１が作動され、第２作動軸９５を介して進退機構部１１１が作動されるようになっている。
【００４０】
ここで、前記作動アーム９３は、前記支軸９７から右方向に延在する第１位置としての初期位置(図１８、図２４(a)、図２５、図２８(a)参照)と、該支軸９７を中心として初期位置から後方側へ回転した第２位置としての終位置(図２２、図２４(c)、図２７、図２８(c)参照)との間を往復移動(すなわち揺動)するよう前記第１駆動モータ６１が駆動制御されている。また、前記作動アーム９３が揺動する初期位置と終位置との間に、該作動アーム９３の揺動による前記開閉機構部１０１の作動と前記進退機構部１１１の作動とが切り替わる切替位置(図１９、図２４(b)、図２６、図２８(ｂ)参照)が設定されており、後述するように初期位置と切替位置との間を作動アーム９３が揺動することで開閉機構部１０１が作動される一方、切替位置と終位置との間を作動アーム９３が揺動することで進退機構部１１１が作動されるよう構成される。また、前記駆動歯車９２には、径方向外方に延出する位置検出片９２ａが設けられており、前記本体部材３６の上支持体４５に配設された位置検出センサ６３が位置検出片９２ａを検出することで、作動アーム９３が初期位置にあることが検出されるようになっている。
【００４１】
(開閉機構部１０１)
前記開閉機構部１０１は、図１８等に示すように、前記作動機構部９１の作動アーム９３(第１作動軸９４)に接続して前後方向に移動可能なスライダ(第２作動体)１０２と、該スライダ１０２の前後移動に伴って揺動されて前記左側開閉部材５０を開閉する左揺動アーム１０７と、スライダ１０２の前後移動に伴って揺動されて前記右側開閉部材５１を開閉する右揺動アーム１０８とから構成され、当該スライダ１０２の前後移動に伴って左右の開閉部材５０,５１が一体的に開閉動作するよう構成される。
【００４２】
(スライダ１０２)
前記スライダ１０２は、前記上支持体４５のガイド部４８に摺動可能に載置される矩形ブロック状の摺動部１０３と、該摺動部１０３の上側左端縁から左側方へ延出し、前記作動アーム９３が接続する第１接続部１０４と、該摺動部１０３の上側前端縁から前方へ延出し、前記左右の揺動アーム１０７,１０８が接続する第２接続部１０６とを備えている。前記摺動部１０３には、前後方向に延在する第１ガイド孔１０３ａが上下に貫通するよう形成されて、該上支持体４５のガイド部４８に設けられた前記ガイド軸４９が第１ガイド孔１０３ａに下方から挿通されている。また、前記スライダ１０２の第２接続部１０６には、前記第１ガイド孔１０３ａと前後に整列する位置に、前後方向に延在する第２ガイド孔１０６ａが上下に貫通するよう形成されて、前記上支持体４５の軸孔４６に挿通された前記開閉部材５０,５１の回転軸５５が第２ガイド孔１０６ａに挿通されている。
【００４３】
すなわち、前記スライダ１０２は、前記第１および第２ガイド孔１０３ａ,１０６ａの後縁部に前記ガイド軸４９および回転軸５５が接触する開閉部材閉鎖位置としての前移動位置(図１８、図２４(a)参照)と、第１および第２ガイド孔１０３ａ,１０６ａの前縁部にガイド軸４９および回転軸５５が接触する開閉部材開放位置としての後移動位置(図１９、図２１、図２２、図２４(b),(c)参照)との間で前後方向に直線的に往復移動し得るようになっている。また、前記スライダ１０２の第２接続部１０６には、前記第２ガイド孔１０６ａを挟む左右両側に、左右方向に延在する長孔１０６ｂ,１０６ｃが上下に貫通するよう形成され、該第２ガイド孔１０６ａの左側に位置する左側長孔１０６ｂに前記左揺動アーム１０７が接続されると共に、第２ガイド孔１０６ａの右側に位置する右側長孔１０６ｃに右揺動アーム１０８が接続される。
【００４４】
ここで、前記左揺動アーム１０７は、前記上支持体４５の上面側において前記回転軸５５に回転可能に軸支されると共に前記左側開閉部材５０に回転可能に軸支される。また同様に、前記右揺動アーム１０８は、前記上支持体４５の上面側において前記回転軸５５に回転可能に軸支されると共に前記右側開閉部材５１に回転可能に軸支されている。なお、左右の揺動アーム１０７,１０８は、略左右対称な構成とされているので、以下の説明では、左揺動アーム１０７について説明し、右揺動アーム１０８については同一の機能を備える構成に同一符号を付して詳細な説明は省略する。
【００４５】
前記左揺動アーム１０７は、前記回転軸５５から前記左円弧状ガイド孔４７ａに至る寸法(右揺動アーム１０８では回転軸５５から右円弧状ガイド孔４７ｂに至る寸法)に形成された棒状部材であって、一方端部に形成された通孔１０９ａに前記回転軸５５が回転可能に挿通されている。そして、前記左側開閉部材５０に固定された前記連結軸５７が、前記左円弧状ガイド孔４７ａを介して前記左揺動アーム１０７の他方端部に形成された通孔１０９ｂに回転可能に支持されている。また、前記左揺動アーム１０７における長手方向の中間位置には、上方に突出する支持軸１０９ｃが設けられており、該支持軸１０９ｃが前記スライダ１０２の左側長孔１０６ｂに下方から挿通されて、左揺動アーム１０７とスライダ１０２とを連繋接続するよう構成されている。なお、前記右揺動アーム１０８の支持軸１０９ｃは、前記スライダ１０２の右側長孔１０６ｃに挿通されて、右揺動アーム１０８とスライダ１０２とを連繋接続するようになっている。
【００４６】
これにより、前記スライダ１０２が前後移動した際には、該スライダ１０２の左右の長孔１０６ｂ,１０６ｃに挿通された前記支持軸１０９ｃを介して前記左右の揺動アーム１０７,１０８が回転軸５５を中心に揺動され、該左右の揺動アーム１０７,１０８の揺動に伴って対応する左右の開閉部材５０,５１が閉鎖位置および開放位置の間を連動して揺動される。ここで、実施例では、前述のように、前記スライダ１０２が前移動位置ある状態では、前記左右の開閉部材５０,５１が閉鎖位置に保持され、該スライダ１０２が後移動位置ある状態で左右の開閉部材５０,５１が開放位置に保持されるよう構成されている。
【００４７】
また、図１８、図２４に示すように、前記スライダ１０２の第１接続部１０４には、前記作動アーム９３の第１作動軸９４が挿通される連繋孔１０５が形成されて、該作動アーム９３の揺動によりスライダ１０２を前移動位置と後移動位置との間で前後移動するよう構成される。前記スライダ１０２に形成される連繋孔１０５は、左右方向に延在する作動孔部１０５ａと、該作動孔部１０５ａの左端部に接続する円弧状孔部１０５ｂとからなり、前記作動アーム９３が初期位置にある状態(すなわち開閉部材５０,５１が閉鎖位置にある状態)において、該作動アーム９３の第１作動軸９４が作動孔部１０５ａの右端部に位置するようになっている。また、前記作動アーム９３が初期位置にある状態では、前記スライダ１０２が前移動位置に停止保持される。
【００４８】
ここで、前記円弧状孔部１０５ｂは、図２４(a),(b)に示すように、その円弧の半径Ｘ１が前記作動アーム９３の支軸９７から第１作動軸９４までの距離Ｘ２(すなわち第１作動軸９４の回転半径)に一致するよう設定される。また、前記円弧状孔部１０５ｂの円弧中心Ｐは、前記作動アーム９３が初期位置にある状態(スライダ１０２が前移動位置にある状態)で、前記開閉部材５０,５１が閉鎖位置から開放位置に移動する際に前記スライダ１０２が前後移動する距離Ｌ(すなわち前移動位置から後移動位置への移動距離)だけ、該作動アーム９３の支軸９７から前方に位置するよう構成されている。なお、図２４(b)における２点差線は、前移動位置にある状態でのスライダ１０２を示すものである。すなわち、前記作動アーム９３が初期位置にある状態では、該作動アーム９３の第１作動軸９４が作動孔部１０５ａの内部(作動孔部１０５ａの右端部)に位置して、作動孔部１０５ａの前後の端縁が第１作動軸９４の回転軌跡に対向するようになっている。従って、初期位置にある作動アーム９３が前記切替位置に向けて回転(図２４(a)における反時計回りに回転)されると、前記第１作動軸９４が作動孔部１０５ａの開口後端縁を押圧して、前記スライダ１０２を前移動位置から後移動位置へ向けて距離Ｌだけ移動し、これに伴って前記開閉部材５０,５１が開放される。そして、前記第１作動軸９４が作動孔部１０５ａの左端部に移動することで、前記スライダ１０２が後移動位置に移動して前記開閉部材５０,５１が完全に開放される。
【００４９】
また、前記作動アーム９３が切替位置にある状態では、該作動アーム９３の第１作動軸９４が作動孔部１０５ａの左端部に位置して、作動孔部１０５ａの開口前端縁が第１作動軸９４の回転軌跡に対向する。このため、切替位置にある作動アーム９３が前記初期位置に向けて回転(図２４(b)における時計回りに回転)されると、前記第１作動軸９４が作動孔部１０５ａの開口前端縁を押圧して、前記スライダ１０２を後移動位置から前移動位置へ向けて距離Ｌだけ移動し、これに伴って前記開閉部材５０,５１が閉鎖される。そして、前記第１作動軸９４が作動孔部１０５ａの右端部に移動することで、前記スライダ１０２が前移動位置に移動して前記開閉部材５０,５１が完全に閉鎖されることになる。
【００５０】
そして、前記作動アーム９３が前記切替位置に移動した状態では、前記円弧状孔部１０５ｂの円弧中心Ｐが前記作動アーム９３の支軸位置(作動アーム９３の回転中心)に一致することになる。また、前述のように前記円弧状孔部１０５ｂの円弧半径Ｘ１が前記作動アーム９３の第１作動軸９４の回転半径Ｘ２に一致している。従って、前記作動アーム９３が切替位置と終位置との間で回転する際には、前記第１作動軸９４が円弧状孔部１０５ｂを通過し、前記スライダ１０２が後移動位置(すなわち開閉部材５０,５１は開放位置)で静止する。すなわち、前記作動孔部１０５ａが、前記作動アーム９３の回転運動を該スライダ１０２の直線運動に変換する運動変換手段として機能すると共に、前記円弧状孔部１０５ｂが、作動アーム９３の回転時にスライダ１０２を静止保持する静止保持手段として機能している。
【００５１】
(進退機構部１１１)
次に、前記進退機構部１１１について説明する。図１３、図２５〜図２７に示すように、前記進退機構部１１１は、前記本体部材３６に固定されて上下に貫通する貫通孔１２０ａが形成された支持部材１２０と、該支持部材１２０の貫通孔１２０ａに回転可能に挿通されて上下方向に延在するシャフト１２１と、該シャフト１２１の上端部に連結固定されると共に前記作動機構部９１の作動アーム９３に接続する作動部材(第３作動体)１１２と、当該シャフト１２１の下端部に連結固定されると共に前記発光演出体７０のガイドベース７１に接続する連結部材１１８とから基本的に構成されている。すなわち、前記作動部材１１２および連結部材１１８は、前記作動アーム９３の揺動に伴ってシャフト１２１を中心に一体的に回転されて、前記ガイドベース７１(発光演出体７０)を収容位置および突出位置の間で移動するよう構成される。なお、以下の説明では、前記発光演出体７０が収容位置にある状態に対応する作動部材１１２の位置を待機位置(演出部材収容位置)と指称し、該発光演出体７０が進出位置にある状態に対応する作動部材１１２の位置を作動位置(演出部材進出位置)と指称するものとする。
【００５２】
(連結部材１１８)
前記連結部材１１８は、図２５〜図２８に示すように、前記シャフト１２１に対して交差方向(直交方向)に延在すると共に、突出端部側に、該連結部材１１８の長手方向に延在する挿通孔１１８ａが形成されており、該挿通孔１１８ａに前記ガイドベース７１の突出部７５が挿入されている。そして、前記連結部材１１８は、前記発光演出体７０が前記収容位置にある状態(すなわち作動部材１１２が待機位置にある状態)では、前記シャフト１２１を中心に後方へ傾斜し、該発光演出体７０が前記進出位置にある状態(すなわち作動部材１１２が作動位置にある状態)では、シャフト１２１を中心に前方へ傾斜するよう構成されている。すなわち、前記作動部材１１２が待機位置から作動位置に回転(図２５、２８(a)において反時計回りに回転)することで、前記発光演出体７０を収容位置から進出位置に移動するよう前記連結部材１１８が前記ガイドベース７１の突出部７５を前方へ押圧する。反対に、前記作動部材１１２が作動位置から待機位置に回転(図２７、図２８(c)において時計回りに回転)することで、発光演出体７０を進出位置から収容位置に移動するよう連結部材１１８がガイドベース７１の突出部７５を後方へ引張るようになっている。
【００５３】
(作動部材１１２)
前記作動部材１１２は、図２５、図２８に示すように、前記シャフト１２１から扇状に拡開する第１押圧壁１１３および第２押圧壁１１４を備え、該第１押圧壁１１３および第２押圧壁１１４により、前記作動アーム９３の第２作動軸９５を上方から遊動可能に挿入される遊動嵌合孔１１２ａを形成している。ここで、前記作動部材１１２が待機位置にある状態(発光演出体７０が収容位置にある状態)において、図２８(a)に示すように、前記第１押圧壁１１３は、前記作動アーム９３における第２作動軸９５の回転方向に沿って延在するよう形成されると共に、前記第２押圧壁１１４は、該第２作動軸９５の回転軌跡中に延在するよう形成されており、当該作動アーム９３が初期位置から切替位置に揺動した際に、前記第２作動軸９５が第２押圧壁１１４に当接するようになっている(図２８(b)参照)。そして、前記作動アーム９３が切替位置から終位置に揺動されることで、前記第２作動軸９５が第２押圧壁１１４を押圧して、前記作動部材１１２が前記シャフト１２１を中心にして待機位置から作動位置に回転(図２５、図２８(a),(b)において時計回りに回転)されるよう構成されている。すなわち、前記作動アーム９３が初期位置から切替位置に揺動する間は前記作動部材１１２が待機位置で静止して発光演出体７０が収容位置に保持され、作動アーム９３の切替位置から終位置への揺動に伴って作動部材１１２が作動位置へ回転されることで、発光演出体７０が収容位置から進出位置に前進移動するようになっている。
【００５４】
また、前記第１押圧壁１１３および第２押圧壁１１４の夫々は、前記作動部材１１２が作動位置にある状態(発光演出体７０が進出位置にある状態)において、図２８(c)に示すように、作動部材１１２の第１押圧壁１１３が前記第２作動軸９５の回転軌跡中に延在し、前記終位置から切替位置に向けて作動アーム９３が揺動した際に、第２作動軸９５が第１押圧壁１１３に当接するよう形成されている。従って、前記作動アーム９３が終位置から切替位置に揺動されることで、前記第２作動軸９５が第１押圧壁１１３を押圧して、前記作動部材１１２が前記シャフト１２１を中心にして作動位置から待機位置に回転(図２８(c)において反時計回りに回転)されることで、発光演出体７０が進出位置から収容位置に後退移動するようになっている。そして、前記作動部材１１２が待機位置に回転された状態では、前述のように前記第１押圧壁１１３が前記第２作動軸９５の回転方向に沿って延在し、前記作動アーム９３が切替位置から初期位置に揺動する間は作動部材１１２が待機位置で静止して発光演出体７０が収容位置のままで保持される。すなわち、前記作動アーム９３の揺動時に、前記第１および第２押圧壁１１３,１１４を押圧することなく前記作動部材１１２の遊動嵌合孔１１２ａ内を前記第２作動軸９５が遊動することで、前記発光演出体７０が収容位置に保持され、作動アーム９３を揺動する過程で第２作動軸９５が第１および第２押圧壁１１３,１１４を押圧することにより、該第２作動軸９５が押圧する押圧壁１１３,１１４に応じて発光演出体７０が前後進退移動されるようになっている。
【００５５】
更に、前記作動部材１１２には、図２８に示すように、前記第１押圧壁１１３における前記シャフト１２１から離間する端部側に前記第２作動軸９５が係合する第１係合部１１５が設けられると共に、前記第２押圧壁１１４における前記シャフト１２１から離間する端部側に第２作動軸９５が係合する第２係合部１１６が設けられている。ここで、前記第１係合部１１５および第２係合部１１６は、前記遊動嵌合孔１１２ａを画成する壁部の一部として夫々構成されている。前記第１係合部１１５は、前記作動部材１１２が前記待機位置にある状態で、前記作動アーム９３の初期位置から切替位置へ向けての揺動を許容する状態で前記第２作動軸９５が係合するよう構成されている。そして、前記第２作動軸９５が前記第１係合部１１５と係合する状態では、前記作動アーム９３が初期位置から更に時計回りに回転するのを規制して、当該作動アーム９３が初期位置に位置規制されるようになっている。また、前記第２係合部１１６は、前記作動部材１１２が前記作動位置にある状態で、前記作動アーム９３の終位置から切替位置へ向けての揺動を許容する状態で前記第２作動軸９５が係合するよう構成されている。そして、前記第２作動軸９５が前記第２係合部１１６と係合する状態では、前記作動アーム９３が終位置から更に反時計回りに回転するのを規制して、当該作動アーム９３を終位置に位置規制するよう構成されている。
【００５６】
〔実施例の作用〕
次に、前述のように構成された実施例に係るパチンコ機１０の作用につき説明する。
【００５７】
前記遊技盤２０に設けたレール２１に沿って遊技領域２０ａに打ち出されたパチンコ球は、遊技盤２０上に設けた遊技釘等に接触して流下方向を変更しながら流下する。そして、前記遊技領域２０ａを流下するパチンコ球が前記始動入賞装置２４に入賞すると、前記制御装置の制御に基づいて前記図柄表示装置１７での図柄変動演出が開始され、図柄変動演出の結果、図柄表示装置１７に所定の図柄組み合わせが表示されると大当りが発生する。大当りが発生すると、図柄表示装置１７に表示された図柄組み合わせに応じて、前記遊技盤２０の下方に設けられた特別入賞装置２５が開放されると共に、前記制御装置の制御に基づいて図柄表示装置１７において大当り演出が行なわれる。更に、前記図柄表示装置１７で展開される図柄変動演出や大当り演出等に合わせて、前記裏ユニット３０に配設された前記可動演出装置３５において動作演出や発光演出が行なわれて、遊技の興趣を高めるようになっている。
【００５８】
(可動演出装置３５の動作演出について)
前記可動演出装置３５の本体部材３６(上支持体４５)に配設された位置検出センサ６３が前記駆動歯車９２を検出する初期位置に前記作動機構部９１の作動アーム９３がある状態では、前記第１駆動モータ６１の駆動に伴って作動アーム９３が初期位置から終位置に向けて反時計回りに揺動される。前記作動アーム９３が初期位置から揺動開始すると、該作動アーム９３に設けられた前記第１作動軸９４が前記開閉機構部１０１のスライダ１０２に形成された前記作動孔部１０５ａ(連繋孔１０５)の後端開口縁を押圧して、前記スライダ１０２を前移動位置から後移動位置へ向けて移動する。前記スライダ１０２が前移動位置から後移動位置へ向けて移動すると、左右の開閉部材５０,５１に対応的に接続した左右の揺動アーム１０７,１０８が相互に離間する方向に回転されて、該左右の開閉部材５０,５１が閉鎖位置から開放位置に移動する。そして、前記第１作動軸９４が作動孔部１０５ａの左端部に移動する切替位置まで前記作動アーム９３が揺動されると、前記スライダ１０２が後移動位置に移動して前記開閉部材５０,５１が完全に開放される。これにより、収容空間６５内に収容された前記発光演出体７０が前記枠状装飾体２３の窓部２３ｂを介してパチンコ機１０の前面に露出する。
【００５９】
一方、前記作動アーム９３が初期位置にある状態では、前記発光演出体７０は収容位置に保持されて、前記進退機構部１１１の作動部材１１２は待機位置にある。ここで、前記進退機構部１１１の作動部材１１２は待機位置にある状態で前記作動アーム９３が初期位置から切替位置に揺動すると、該作動アーム９３に設けられた前記第２作動軸９５が作動部材１１２の第１押圧壁１１３に沿って移動することになり、前記発光演出体７０は移動することなく収容位置に停止保持される。すなわち、前記作動アーム９３が初期位置から切替位置に揺動する間は、前記開閉部材５０,５１が開放動作する一方で、前記発光演出体７０は収容位置に保持される。
【００６０】
また、前記作動アーム９３が前記切替位置に移動した状態では、前記スライダ１０２に形成された円弧状孔部１０５ｂの円弧中心Ｐが作動アーム９３の支軸位置に一致していることから、作動アーム９３が切替位置から終位置に向けて反時計回りに揺動すると、当該作動アーム９３に設けられた第１作動軸９４が円弧状孔部１０５ｂを通過するようになる。このため、前記スライダ１０２は後移動位置の状態に保持されることになり、前記開閉部材５０,５１が開放位置で静止される。一方で、前記作動アーム９３が前記切替位置に移動した状態では、該作動アーム９３の第２作動軸９５が前記作動部材１１２の第２押圧壁１１４に当接する。このため、前記作動アーム９３を切替位置から終位置に向けて揺動されると、該第２作動軸９５が第２押圧壁１１４を押圧して作動部材１１２を待機位置から作動位置に向けて回転させる。そして、前記作動部材１１２の回転と一体的に回転された連結部材１１８が前記発光演出体７０のガイドベース７１に設けられた突出部７５を前方へ押圧し、前記発光演出体７０を収容位置から進出位置に向けて前進移動する。これにより、前記発光演出体７０が前記枠状装飾体２３の窓部２３ｂを介してパチンコ機１０の前面に突出するよう移動する。すなわち、前記作動アーム９３が切替位置から終位置に揺動する間は、前記開閉部材５０,５１が開放位置に保持される一方で、前記発光演出体７０が収容位置から進出位置に移動される。
【００６１】
更に、前記作動アーム９３を終位置から切替位置に向けて移動する際には、該作動アーム９３の第１作動軸９４は後移動位置に移動したスライダ１０２の円弧状孔部１０５ｂ内を移動して、前記作動孔部１０５ａとの接続位置まで移動する。このため、前記作動アーム９３を切替位置から終位置に向けて移動する場合と同様に、前記スライダ１０２は後移動位置の状態に保持されることになり、前記開閉部材５０,５１が開放位置で静止される。一方で、前記作動アーム９３が終位置に移動した状態では、前記作動部材１１２の第１押圧壁１１３が前記第２作動軸９５の回転軌跡中に延在するようになることから、作動アーム９３を終位置から切替位置に向けて移動する際に、該作動アーム９３の第２作動軸９５が第１押圧壁１１３を押圧し、作動部材１１２を作動位置から待機位置に向けて回転する。このとき、前記作動部材１１２の回転と一体的に回転された連結部材１１８が前記発光演出体７０のガイドベース７１に設けられた突出部７５を後方へ引張り、該発光演出体７０を進出位置から収容位置に向けて後退移動させる。すなわち、前記作動アーム９３が終位置から切替位置に揺動する間も、前記開閉部材５０,５１が開放位置に保持される一方で、前記発光演出体７０が進出位置から収容位置に移動される。
【００６２】
更にまた、前記作動アーム９３を切替位置から初期位置に向けて揺動した際には、該作動アーム９３に設けられた前記第１作動軸９４が前記開閉機構部１０１のスライダ１０２に形成された前記作動孔部１０５ａ(連繋孔１０５)の前端開口縁を押圧して、該スライダ１０２を後移動位置から前移動位置へ向けて移動するようになる。前記スライダ１０２が後移動位置から前移動位置へ向けて移動すると、左右の開閉部材５０,５１に対応的に接続した左右の揺動アーム１０７,１０８が相互に近接する方向に回転されて、該左右の開閉部材５０,５１が開放位置から閉鎖位置に移動する。これにより、収容空間６５内に収容された前記発光演出体７０の前側が開閉部材５０,５１で覆われ、発光演出体７０を直接前方から視認不能になる。一方で、前記作動アーム９３が切替位置から初期位置に揺動されると、該作動アーム９３に設けられた前記第２作動軸９５が作動部材１１２の第１押圧壁１１３に沿って移動することになり、前記発光演出体７０は移動することなく収容位置に停止保持される。すなわち、前記作動アーム９３が切替位置から初期位置に揺動する間は、前記開閉部材５０,５１が閉鎖動作する一方で、前記発光演出体７０は収容位置に保持される。
【００６３】
このように、前記開閉部材５０,５１の開放に伴って、前記収容空間６５に収容された発光演出体７０を開閉部材５０,５１の開放位置への移動により開口した開放口を介して収容空間６５の前方(外方)に突出する進出位置へ移動させるよう構成したことで、該発光演出体７０の動作時の視認性の向上を図り得る。また、前記開閉部材５０,５１の開放に伴って発光演出体７０が前方へ移動することで、演出の意外性が高まり、開閉部材５０,５１を単に開閉動作させるだけの構成に較べて、演出効果が格段に向上する。しかも、発光演出体７０による発光演出を収容空間６５の外側で行ない得るから、発光演出体７０による発光演出効果も格段に高められる。
【００６４】
また、前記開閉部材５０,５１の開閉動作と、発光演出体７０の進退動作とを単一の第１駆動モータ６１の駆動により行なうことができるから、該開閉部材５０,５１の開閉動作用の駆動手段や発光演出体７０の進退動作用の駆動手段を個別に設ける必要がなく、可動演出装置３５の小型化を図り得ると共に、コストの低減を実現し得る。しかも、実施例の可動演出装置３５では、前述のように、単一の第１駆動モータ６１の駆動により開閉部材５０,５１および発光演出体７０を動作する構成であっても、該開閉部材５０,５１の閉鎖位置から開放位置への移動が完了した後に発光演出体７０が収容位置から進出位置へ移動開始すると共に、発光演出体７０の進出位置から収容位置への移動が完了した後に開閉部材５０,５１が開放位置から閉鎖位置へ移動開始するよう駆動伝達手段９０が構成されている。すなわち、単一の第１駆動モータ６１を備えた構成であっても、開閉部材５０,５１および発光演出体７０の動作タイミングに時間差を設けることができるから、開閉部材５０,５１と発光演出体７０との衝突を確実に回避できる。
【００６５】
また、前記開閉部材５０,５１と発光演出体７０との動作タイミングを異ならせるための駆動伝達手段９０は、所定範囲(初期位置と終位置)を往復揺動する作動アーム９３(作動機構部９１)を備えて、該作動アーム９３の揺動範囲の一部(初期位置および切替位置の間)においてのみ作動アーム９３に連動してスライダ１０２(開閉機構部１０１)を動作すると共に、該スライダ１０２(開閉機構部１０１)が連動する揺動範囲とは異なる範囲(切替位置および終位置の間)においてのみ作動アーム９３に連動して作動部材１１２(進退機構部１１１)を動作する構成であるから、複雑な構成の駆動伝達手段９０を採用する必要がなく、装置の小型化やコストの低減に寄与する。
【００６６】
また、前記発光演出体７０が収容位置および進出位置の間を移動する間は、前記本体部材３６に形成された支持筒部４１の全長に亘って発光演出体７０に設けた上部ガイド棒８６が挿通されている。このため、発光演出体７０が進出位置まで前方移動しても該発光演出体７０を確実に支持することができる。そして、前記発光演出体７０が収容位置にある状態において、該発光演出体７０に設けた上部ガイド棒８６を本体部材３６の後方へ突出するよう構成したことにより、収容位置にある状態で支持筒部４１内にのみ上部ガイド棒８６が挿入される場合に較べて発光演出体７０の移動距離を長くすることができる。また、前記本体部材３６の後方に突出する上部ガイド棒８６を退避させる退避部３２ａを前記裏ユニット３０の設置部３２に形成したことで、該上部ガイド棒８６と設置部３２との干渉を防止し得るだけでなく、裏ユニット３０に配設される他の部材が上部ガイド棒８６に接触して損傷したり、配線等が上部ガイド棒８６に引っ掛かって断線等するのを効果的に防止することができる。
【００６７】
(可動演出装置３５での発光演出について)
次に、可動演出装置３５による発光演出について説明する。前記発光演出体７０は、前記演出体側ＬＥＤ基板８８に設けた位置検出センサ８９が前記回転反射部材７７の位置検出片７８ｃを検出する原位置にある状態で、該演出体側ＬＥＤ基板８８のＬＥＤ８８ａを点灯すると、該回転反射部材７７における反射板７９の反射面７９ａで反射された反射光が前方(透視体８３側)へ照射される。この反射光は、前記開閉部材５０,５１が閉鎖位置にある状態では、前記透視体８３を介して開閉部材５０,５１に内側から照射されることになる。また、前記本体部材３６に設けられた本体側ＬＥＤ基板３９のＬＥＤ３９ａは前記回転反射部材７７の反射板７９と前後に重なっているから、該本体側ＬＥＤ基板３９のＬＥＤ３９ａを点灯すると、該反射板７９の外周縁から漏れた間接光が前方(透視体８３側)へ照射される。この間接光は、反射光と同様に前記開閉部材５０,５１が閉鎖位置にある状態で、前記透視体８３を介して開閉部材５０,５１に内側から照射される。すなわち、演出体側ＬＥＤ基板８８に設けたＬＥＤ８８ａからの反射光と、本体側ＬＥＤ基板３９のＬＥＤ３９ａからの間接光とにより開閉部材５０,５１を照明することができ、該開閉部材５０,５１をより一層際立たせることができる。
【００６８】
そして、前記第２駆動モータ８１の駆動に伴って前記回転反射部材７７が回転されると、前記反射板７９における前記演出体側ＬＥＤ基板８８のＬＥＤ８８ａから光の反射方向が周方向に変化する。そして、前記反射板７９の反射面７９ａが側方または後方を向く姿勢では、透視体８３に照射される反射光の光量が低下することになる。ここで、実施例の発光演出体７０では、反射板７９の反射面７９ａが側方を向く姿勢において、前記本体側ＬＥＤ基板３９のＬＥＤ３９ａ,３９ａの間に反射板７９が位置して、該ＬＥＤ３９ａ,３９ａの光が透視体８３に直接照射される。また、反射板７９の反射面７９ａが後方を向く姿勢では、前記本体側ＬＥＤ基板３９のＬＥＤ３９ａ,３９ａの前側に反射板７９が位置するものの、該反射板７９の外周囲から漏れた間接光が透視体８３に照射される。このように、前記透視体８３の後方に、該透視体８３に向けて光を照射する本体側ＬＥＤ基板３９を設けたことで、反射板７９の反射面７９ａが後方や側方を向いた状態でも透視体８３を照明することができ、反射板７９の回転時に透視体８３に対する光の照明が完全に失われることはない。しかも、前記演出体側ＬＥＤ基板８８のＬＥＤ８８ａを反射した反射光の照射方向が、前記反射板７９の回転に伴って変化することにより、本体側ＬＥＤ基板３９のＬＥＤ３９ａによる直接光および間接光や、演出体側ＬＥＤ基板８８のＬＥＤ８８ａの反射光が透視体８３に照射される光の強さが変化し、透視体８３に照射される光のコントラストを強調することができる。
【００６９】
また、前記本体側ＬＥＤ基板３９に設けた２個のＬＥＤ３９ａ,３９ａを個別に発光制御するよう構成されている。このため、反射板７９が側方を向いた状態において、前記本体側ＬＥＤ基板３９のＬＥＤ３９ａ,３９ａの内、該反射板７９の反射面７９ａに対応する側のＬＥＤ３９ａのみを発光することで、該反射板７９の回転に伴って透視体８３の左右側部に照射される光の強度も変化し、透視体８３に照射される光のコントラストを一層強調することができる。更に、前記本体側ＬＥＤ基板３９に設けた各ＬＥＤ３９ａと、前記演出体側ＬＥＤ基板８８に設けた各ＬＥＤ８８ａとを個別に発光制御し得るから、該本体側ＬＥＤ基板３９のＬＥＤ３９ａおよび演出体側ＬＥＤ基板８８のＬＥＤ８８ａの発光の組み合わせにより、発光演出の多様化を図り得る利点がある。また、演出体側ＬＥＤ基板８８のＬＥＤ８８ａの発光色と、本体側ＬＥＤ基板３９のＬＥＤ３９ａの発光色を異ならせることにより、光の干渉により複雑な色彩を呈することができる。また、前記本体側ＬＥＤ基板３９のＬＥＤ３９ａの直接光や間接光が透視体８３に照射される光量や、演出体側ＬＥＤ基板８８のＬＥＤ８８ａの光を反射板７９で反射した反射光が透視体８３に照射される光量は、前記回転反射部材７７(反射板７９)の回転に伴って常時変化する。このため、直接光や間接光、反射光の干渉によって呈する発光色を経時的に変化させることができ、発光演出体７０での発光演出の態様を多様化して、演出効果の向上を効果的に図り得る。
【００７０】
(変更例)
なお、遊技機の構成としては、実施例のものに限らず、種々の変更が可能である。なお、理解を容易にするために実施例中の用語を使用して説明する。
(１)  実施例の発光演出体では、第２駆動モータの駆動軸を下方に垂下させて、演出体側ＬＥＤ基板の下方に光反射部材が位置するようにしたが、これに限られるものではなく、光反射部材は、第２駆動モータの駆動により回転される回転軸線に対して傾斜した反射面を有するよう構成すると共に、演出体側ＬＥＤ基板は、該光反射部材へ向けて回転軸線方向に光を照射して反射光を前記透視体に照射し得るよう配置すればよい。
(２)  実施例では、本体側ＬＥＤ基板を回転反射部材(反射板)の後方に位置するよう設けて、該反射板に対して後方から光を照射するよう構成したが、これに限られるものではなく、前記反射板の回転領域の外側に位置するよう透視体の後方側に配置されると共に、該透視体へ向けて光を照射可能な位置であれば、当該反射板の左右側方に位置するよう構成してもよい。
(３)  実施例では、本体側ＬＥＤ基板のＬＥＤと演出体側ＬＥＤ基板のＬＥＤとを個別的に発光制御するよう構成したが、両ＬＥＤ基板のＬＥＤを共通して点灯・消灯等するよう制御してもよい。また各ＬＥＤ基板のＬＥＤは、複数色を発光可能なタイプのものである必要はなく、単色を発光するＬＥＤであってもよい。
(４)  前記本体側ＬＥＤ基板や演出体側ＬＥＤ基板に実装されるＬＥＤの数は、実施例に示したものに限られるものではなく、任意数のＬＥＤを実装することができる。また、発光手段としては、ＬＥＤに限定されるものではなく、各種ランプ、その他発光体を採用することができることは云うまでもない。
(５)  実施例の可動演出装置には、収容空間を開閉する左右一対の開閉部材が設けられているが、１つの開閉部材または３つ以上の開閉部材を設けて収容空間を開閉するようにしてもよい。また、実施例では、前記開閉部材を回転可能に構成したが、スライド移動するよう構成することも当然可能である。
(６)  実施例の可動演出装置では、第１駆動モータの駆動力を伝達する駆動伝達手段として作動機構部と、作動機構部を開閉部材に接続する開閉機構部と、作動機構を発光演出体に接続する進退機構部とから構成したが、各機構部の具体的な構成は実施例に示したものに限られるものではなく、開閉部材を閉鎖位置から開放位置へ移動した後に発光演出体を収容位置から進出位置へ移動開始し、該発光演出体を進出位置から収容位置へ移動した後に開閉部材を開放位置から閉鎖位置へ移動開始するよう構成されていればよい。
(７)  前記作動機構部の作動アームは、初期位置および終位置の間を揺動するよう構成したが、直線的に往復運動する構成であってもよい。
(８)  実施例では、開閉機構部のスライダに作動孔部および円弧状孔部を形成することで、作動アームが切替位置から終位置に揺動された際にスライダが後移動位置で停止されるよう構成したが、これに限られるものではなく、作動アームの動作に伴って前記初期位置および閉鎖位置に対応した前移動位置(開閉部材閉鎖位置)と、切替位置および開放位置に対応した後移動位置(開閉部材開放位置)との間を移動すると共に、該切替位置および終位置の間での作動アームの移動に際して後移動位置で停止されるよう構成すればよい。
(９)  実施例では、進退機構部の作動部材に遊動嵌合孔を形成することで、作動アームが初期位置から切替位置に揺動される際に作動部材が待機位置で停止されるよう構成したが、これに限られるものではなく、作動アームの動作に伴って切替位置および収容位置に対応した待機位置(演出部材収容位置)と、終位置および進出位置に対応した作動位置(演出部材進出位置)との間を移動すると共に、初期位置および切替位置の間での作動アームの移動に際して待機位置で停止されるよう構成すればよい。
(１０)  実施例では、作動アームに設けた第１作動軸にスライダを接続すると共に、該作動アームに設けた第２作動軸に作動部材を接続したが、当該作動アームに作動軸を１つだけ形成して、該作動軸をスライダの連繋孔および作動部材の遊動嵌合孔の夫々に挿通するよう構成することもできる。例えば、作動アームに第１作動軸のみを形成する場合には、遊動嵌合孔の開口形状を大きくすると共に第１押圧壁と第２押圧壁との交差角度を変更することで、実施例と同様の動作を行なうことが可能である。
(１１)  実施例では、遊技盤に設けた裏ユニットに可動演出装置を配設したが、これに限らず、遊技盤自体に可動演出装置を取付けるようにしても、また遊技盤に配設される部材(例えば枠状装飾体)に設けるようにしてもよい。
(１２)  実施例では、遊技機としてパチンコ機を例示して説明したが、これに限られるものではなく、アレンジボール機やピンボール機、スロットマシン機等の各種遊技機を採用し得る。
(１３)  実施例では、前記可動演出装置の発光演出体を前後方向に進退移動するよう構成したが、これに限られるものではなく、開閉部材の開放時に収容空間を上または下方向に開放させて発光演出体を上下方向に進退移動するよう構成したり、開閉部材の開放時に収容空間を左または右方向に開放させて発光演出体を左右方向に進退移動するよう構成することも可能である。
(１４)  実施例では、演出部材として発光演出する発光演出体を採用したが、これに限られるものではなく、適宜の装飾部材を採用できることは当然である。
【符号の説明】
【００７１】
２０  遊技盤
３２  設置部
３２ａ  退避部
３５  可動演出装置(演出装置)
３６  本体部材
４０  下部ガイド棒(第１ガイド軸)
４１  支持筒部(第１の支持部)
４１ａ  貫通孔
５０  左側開閉部材(開閉部材)
５１  右側開閉部材(開閉部材)
６５  収容空間
７０  発光演出体(演出部材)
７１  ガイドベース(第２の支持部)
８６  上部ガイド棒(第２ガイド軸)
９０  駆動伝達手段
９３  作動アーム(第１作動体)
９４  第１作動軸
９５  第２作動軸
１０２  スライダ(第２作動体)
１０５ａ  作動孔部(第１の孔部)
１０５ｂ  円弧状孔部(第２の孔部)
１１２  作動部材(第３作動体)
１１３  第１押圧壁
１１４  第２押圧壁
１１５  第１係合部
１１６  第２係合部
【図１】
0005550178.tif 000002
【図２】
0005550178.tif 000003
【図３】
0005550178.tif 000004
【図４】
0005550178.tif 000005
【図５】
0005550178.tif 000006
【図６】
0005550178.tif 000007
【図７】
0005550178.tif 000008
【図８】
0005550178.tif 000009
【図９】
0005550178.tif 000010
【図１０】
0005550178.tif 000011
【図１１】
0005550178.tif 000012
【図１２】
0005550178.tif 000013
【図１３】
0005550178.tif 000014
【図１４】
0005550178.tif 000015
【図１５】
0005550178.tif 000016
【図１６】
0005550178.tif 000017
【図１７】
0005550178.tif 000018
【図１８】
0005550178.tif 000019
【図１９】
0005550178.tif 000020
【図２０】
0005550178.tif 000021
【図２１】
0005550178.tif 000022
【図２２】
0005550178.tif 000023
【図２３】
0005550178.tif 000024
【図２４】
0005550178.tif 000025
【図２５】
0005550178.tif 000026
【図２６】
0005550178.tif 000027
【図２７】
0005550178.tif 000028
【図２８】
0005550178.tif 000029